(57)【要約】【課題】本発明は、整髪用人形首を良好な状態で持ち運びすることのできる整髪用人形首の収納体を提供することを目的とする。【解決手段】本発明の整髪用人形首の収納体は、開口部と収納部とを備えた有底の収納体であって、人形首を収納部の内部に固定する固定手段を備えていることを特徴とするものである。【選択図】　図４
2004105498.tif 000002
【特許請求の範囲】
【請求項１】
開口部と収納部とを備えた有底の収納体であって、人形首を収納部の内部に固定する固定手段を備えていることを特徴とする整髪練習用人形首の収納体。
【請求項２】
底部が、平板状の底板を備えていることを特徴とする請求項１記載の整髪練習用人形首の収納体。
【請求項３】
底板の板面の平面形状が、人形首の頭部の最大横断面形状よりも大きいことを特徴とする請求項１または請求項２記載の整髪練習用人形首の収納体。
【請求項４】
開口部が開閉可能に構成されていることを特徴とする請求項１から請求項３のいずれかに記載の整髪練習用人形首の収納体。
【請求項５】
人形首の少なくとも頭髪部分を保護する保護部材を備えていることを特徴とする請求項１から請求項４のいずれかに記載の整髪練習用人形首の収納体。
【発明の詳細な説明】
【０００１】
【発明の属する技術分野】
本発明は、整髪練習用品の収納体に関するものである。
【０００２】
【従来の技術】
従来、整髪練習用の人形首の持ち運びに適した収納体はなく、整髪練習者は、人形首を既成の適当な大きさの紙や布の袋に入れたり、風呂敷等で包んだりして、持ち運びしている。
【０００３】
なお、本願発明者は、出願に当たって先行技術文献調査を行ったが、文献公知発明として記載すべき先行技術文献情報もなかった。
【０００４】
【発明が解決しようとする課題】
しかしながら、上記の袋や風呂敷等では、収納した人形首が固定されていないため、内部で倒れたり移動したりしやすい上、袋や風呂敷等の内面が人形首の頭髪に摺接して頭髪が傷んだり、髪型が崩れやすいという不具合がある。特に、自己の作品や、先生の見本作品等を持ち運びする際に、整髪後の完成した髪型が崩れてしまうのは、整髪練習者にとって致命的な問題となっている。
【０００５】
本発明は上記問題点に鑑みて提案されたものであって、整髪用人形首を良好な状態で持ち運びすることのできる整髪用人形首の収納体を提供することを目的とする。
【０００６】
【課題を解決するための手段】
以上の目的を達成するために、本発明の整髪用人形首の収納体は、
開口部と収納部とを備えた有底の収納体であって、人形首を収納部の内部に固定する固定手段を備えていることを特徴とするものである。
また、底面が、平板状の底板を備えていてもよい。
また、底板の板面の平面形状が、人形首の頭部の最大横断面形状よりも大きくてもよい。
また、開口部が開閉可能に構成されていてもよい。
さらに、人形首の少なくとも頭髪部分の周囲が保護部材で覆われていてもよい。
ここで、人形首とは、マネキン人形における頭部と首部とを備えたものであって、頭部に整髪可能な毛髪部分を有しているものをいう。
【０００７】
【発明の実施の形態】
以下に、本発明の実施の形態を詳細に説明する。
【０００８】
本実施形態の整髪用人形首（以下、人形首という）の収納体としての収納バッグ１は、図１、図２に示すように、上端部が開口した筒状のバッグ本体２と、バッグ本体２に内装される保護部材としての保護カバー３と、人形首Ｋをバッグ本体２の後述する底部４に固定するための固定手段としての固定機構５と、バッグ本体２の上部に取り付けられるひも９とを備えて構成されている。
【０００９】
バッグ本体２は、柔らかい合成皮革製で、人形首Ｋを出し入れする開口部８と、人形首Ｋを収納する収納部６、底部４とを備えており、収納部６の外面にヘアクリップ等の整髪用小物を収納するポケット２１を有している。
【００１０】
開口部８は、バッグ本体２の上端部に形成される上端開口部８１と、バッグ本体２の側面部に形成される側面開口部８２とを備えている。
上端開口部８１は、ひも９を挿通可能な挿通孔８１０が周方向に沿って形成されており、挿通孔８１０に挿通したひも９を引いたり緩めたりして開閉される。
側面開口部８２は、バッグ本体２の正面に配置されており、上端開口部８１と底部４との間を縦方向に開口可能に形成されている。側面開口部８２には、一方の開口縁部の表側に雄型ホック８２ａが設けられており、他方の開口縁部の裏側に雄型ホック８２ａに係着する雌型のホック８２ｂが設けられている。
【００１１】
収納部６は、人形首Ｋを収納可能な大きさで、内側部の左右に保護カバー３を係止する係止部材７が縫着されている。係止部材７は、細長い布テープで形成されており、先端部に雌型ホック７ｂが取り付けられている。
【００１２】
底部４は、円板状の底板４１が介装された二重底で、周縁部分が収納部６に縫着されて、収納部６と一体に形成されている。底板４１は、底部４を平面状に保持可能な硬さの合成樹脂製の平板で形成されており、底板４１の板面の平面形状が、人形首Ｋの頭部Ｋ１の最大横断面形状よりも大きくなっている。
【００１３】
保護カバー３は、図２、図４に示すように、筒状に湾曲させることが可能な程度の可撓性を有する合成樹脂製の板材で形成されている。保護カバー３の長手方向一端部には嵌合穴部３ａが設けられ、長手方向他端部には、嵌合穴部３ａに嵌着する嵌合突起３ｂが設けられている。また、保護カバー３の周壁部の左右には、係止部材７の雌型ホック７ｂを止着可能な雄型ホック７ａが取り付けられている。
保護カバー３は、嵌合穴部３ａに嵌合突起３ｂを嵌着させて筒状に形成した際に、断面形状が人形首Ｋの頭部Ｋ１の最大断面形状よりも大きく、底板４１の平面形状よりも小さくなるように形成されており、人形首Ｋの頭部Ｋ１の周囲に、人形首Ｋの頭部Ｋ１から所定間隔離間した状態で設けられる。
【００１４】
固定機構５は、図２に示すように、人形首Ｋの首部Ｋ２に巻回される固定ベルト５１と、固定ベルト５１が巻回された人形首Ｋを底部４の略中央部に固定する固定フック５２とで構成されている。
固定ベルト５１は、図２、図３に示すように、人形首Ｋの首部Ｋ２の周囲に巻回した際に、長手方向両端部が重なり合う程度の長さを有するベルト本体５１１と、コの字状のフック係止部５１２とを備えている。
【００１５】
ベルト本体５１１の長手方向両端部には、それぞれ雄雌の面ファスナー５１３が縫着されている。また、ベルト本体５１１は、人形首Ｋの首部Ｋ２に巻回した際に外側となる長手方向一端部に、ループ状の持ち手５１４を備えている。
フック係止部５１２は、ベルト本体５１１の外面に取り付けられており、具体的には、ベルト本体５１１を首部Ｋ２に取り付けた際に、人形首Ｋの左右両側に位置する箇所に取り付けられている。
【００１６】
固定フック５２は、伸縮性を有する平ゴムテープの先端部に、フック係止部５１２に係止可能な大きさに形成されたフックが取り付けられたもので、底部４の上面に縫着されている。
【００１７】
ひも９は、図１に示すように、バッグ本体２の挿通孔８１０に一方向に挿通される第１のひも９１と、第１のひも９１と逆方向に挿通される第２のひも９２とから構成されている。
【００１８】
次に、収納バッグ１の使用方法について説明する。
まず、図４に示すように、ひも９を緩めて、上端開口部８１を開口させ、続いて、側面開口部８２の雄型ホック８２ａと雌型８２ｂとを外して、上端開口部８１と底部４との間を縦方向に開口させる。
【００１９】
次に、人形首Ｋの首部Ｋ２に固定ベルト５１を取り付ける。このとき、固定ベルト５１に取り付けたフック係止部５１２を人形首Ｋの左右に位置させた状態で固定ベルト５１を首部Ｋ２にきつく巻回して、面ファスナー５１３で固定する。
そして、人形首Ｋを底部４の底面上の略中央部分に載置して、底部４に取り付けられている固定フック５２をフック係止部５１２に係止させて、人形首Ｋを底部４の底面上に固定する。
【００２０】
保護カバー３を長手方向に湾曲させて、嵌合穴部３ａに嵌合突起３ｂを嵌着させて筒状に形成し、人形首Ｋの上方から頭髪部分に接触しないように被せて、頭部Ｋ１から所定間隔離間させた状態で、頭部Ｋ１の周囲に設置する。
【００２１】
保護カバー３の周壁部の左右に取り付けられている雄型ホック７ａに、バッグ本体２の内側部に縫着されている係止部材７の雌型ホック７ｂを止着して、保護カバー３をバッグ本体２の内部に固定する。
【００２２】
側面開口部８２の雄型ホック８２ａと雌型８２ｂとを止め付けて、側面開口部８２を閉止し、続いて、ひも９を絞って上端開口部８１を閉止する。
【００２３】
以上のように、本実施の形態の収納バッグ１は、人形首Ｋをバッグ本体２の底部４に固定するための固定機構５を設けたものであるので、人形首Ｋをバッグ本体２の底部４に固定することができる。したがって、収納バッグ１を持ち運びする際に、人形首Ｋがバッグ本体２の内部で倒れたり移動したりすることがないので、人形首Ｋの損傷や、整髪後の髪型の崩れを防止できる。
【００２４】
固定機構５は、固定ベルト５１を人形首Ｋの首部Ｋ２に取り付けて、フック係止部５１２に固定フック５２を係止させるだけで、バッグ本体２の底部４の底面上に人形首Ｋを立設させた状態で確実に固定することができるため、作業が非常に簡単である。
【００２５】
また、固定ベルト５１は、首部Ｋ２に取り付けられるもので、直接頭髪部分に接触しないので、整髪後の髪型が崩れることがない。さらに、固定ベルト５１は、面ファスナー５１３および持ち手５１４を有しているので、人形首Ｋの首部Ｋ２にワンタッチで着脱できる。
【００２６】
また、固定フック５２は、伸縮性を有するので、人形首Ｋが、所定の位置からずれたり傾斜したりした場合でも、フック係止部５１２からはずれにくい。
【００２７】
底部４は、底板４１が平板であるので、平らな状態に保たれる。したがって、人形首Ｋを底板４１上に安定して載置することができる。
【００２８】
また、板面の平面形状が、人形首Ｋの頭部Ｋ１の最大横断面形状よりも大きいので、収納部６の内部空間が広くなり、バッグ本体２の内面が人形首Ｋの頭部Ｋ１に接触しにくい。したがって、収納バッグ１を持ち運びする際に、バッグ本体２の内面が頭髪部分に摺接して整髪後の髪型が崩れてしまうのを防止することができる。
【００２９】
収納バッグ１は、開閉可能な開口部８を備えているので、人形首Ｋを出し入れするとき以外は開口部８を閉止しておくことができる。したがって、持ち運びする際に、人形首Ｋを収納部６の内部に完全に収納することができ、効果的に人形首Ｋを保護することができる。
【００３０】
さらに、上端開口部８１と側面開口部８２の両方を開口させると、上端開口部８１から底部４までの間が大きく開口するので、人形首Ｋの出し入れが非常に容易になる。また、出し入れする際に、バッグ本体２の内面が人形首Ｋの頭部Ｋ１に接触することがないので、整髪後の髪型が崩れてしまうのを防止することができる。
【００３１】
保護カバー３は、人形首Ｋの頭部Ｋ１の周囲に、人形首Ｋの頭部Ｋ１から所定間隔離間させて設置されるので、バッグ本体２の内面が人形首Ｋに接触しにくい。また、収納バッグ１の外側から外力を受けることがあっても、外力による衝撃力が保護カバー３で吸収されるので、整髪後の髪型を効果的に保持することができる。
【００３２】
また、保護カバー３は、バッグ本体２の内部に固定されているので、保護カバー３がバッグ本体２の内部で位置ずれしない。したがって、外力を受けた場合でも、保護カバー３は、人形首Ｋから所定間隔離間した状態を維持し得るので、整髪後の髪型をより効果的に保持することができる。
【００３３】
また、バッグ本体２は、柔らかい合成皮革製としたので、不要なときには折り畳んで嵩を小さくすることができる。
【００３４】
なお、バッグ本体２の材質はこれに限られず、本皮革製であっても布製であってもよい。また、折り畳むことができない硬い材質であっても構わない。
【００３５】
開口部８は、上端開口部８１と側面開口部８２とを備えてなり、両方の開口部を開くことにより、上端開口部８１から底部４までを大きく開口させるものであるが、開口部８の形状はこれに限られるものではなく、人形首Ｋを出し入れしやすい構成であればよい。また、上端開口部８１は、ひも９で開閉され、側面開口部８２は、雄型ホック８２ａ，雌型ホック８２ｂで開閉されるが、開閉方式はこれに限られるものではなく、開閉しやすい方式であればよい。したがって、例えば、開口部８が、バッグ本体２の側面部を観音開きする構成であってもよいし、開閉方式が、ファスナー式であってもよい。
【００３６】
底部４は、底板４１を備えた構成としたが、底板４１は必ずしも必要ではない。なお、底板４１がない場合は、底部４は、平らな状態に保持可能な硬さを有していることが望ましい。また、底板４１の材質は合成樹脂に限られず、例えば、厚紙等であってもよい。
【００３７】
保護カバー３は、可撓性を有する合成樹脂製の板材を筒状に湾曲形成して、人形首Ｋの頭部Ｋ１の周囲に、人形首Ｋの頭部Ｋ１から所定間隔離間させて設置されるものであるが、保護カバー３は、筒状に限られず、人形首Ｋの頭部Ｋ１を保護できるものであればよい。したがって、例えば、丸底容器状に形成して、開口部を下向きにして人形首Ｋに被せて使用してもよい。
【００３８】
保護カバー３をバッグ本体２に着脱可能に固定する方法は、雄型ホック７ａ，雌型ホック７ｂによる止着に限定されるものではなく、例えば、底板４１に係合溝を形成して、保護カバー３の下端部を係合させて固定してもよい。
【００３９】
固定機構５は、人形首Ｋの首部Ｋ２に巻回される固定ベルト５１と、底板４１の上面に縫着される固定フック５２とで構成されているが、このような構成に限定されるものではなく、整髪後の髪型を崩すことなく、人形首Ｋを底部４に固定できる機構であればよい。
【００４０】
【発明の効果】
以上のごとく本発明の整髪練習用人形首の収納体は、開口部と収納部とを備えた有底の収納体であって、人形首を収納部の内部に固定する固定手段を備えているので、人形首を収納部の内部に固定することができる。したがって、収納体を持ち運びする際に、人形首が収納部の内部で倒れたり移動したりすることがないので、人形首の損傷や、整髪後の髪型の崩れを防止できる。
【００４１】
また、底部が、平板状の底板を備えているので、底部を平らな状態に保持することができる。したがって、人形首を底部に安定して載置することができる。
【００４２】
さらに、底板の板面の平面形状が、人形首の頭部の最大横断面形状よりも大きいので、収納部の内部空間が広くなり、収納部の内面が人形首の頭部に接触しにくい。したがって、収納体を持ち運びする際に、収納部の内面が頭髪部分に摺接して整髪後の髪型が崩れてしまうのを防止することができる。
【００４３】
また、開口部が開閉可能に構成されているので、人形首を出し入れするとき以外は開口部を閉止しておくことができる。したがって、持ち運びする際に、人形首を収納部の内部に完全に収納することができ、効果的に人形首を保護することができる。
【００４４】
また、収納体は、人形首の少なくとも頭髪部分を保護する保護部材を備えているので、整髪後の髪型を効果的に保護することができる。
【図面の簡単な説明】
【図１】本発明に係る一実施形態の整髪用人形首の収納バッグの外観図。
【図２】図１における収納バッグに人形首を収納した状態を示す縦断面図。
【図３】図１における収納バッグの固定機構を示す拡大斜視図。
【図４】図１における収納バッグに人形首を収納する手順を示す説明図。
【符号の説明】
１　　　収納バッグ（収納体）
３　　　保護カバー（保護部材）
４　　　底部
５　　　固定機構（固定手段）
６　　　収納部
８　　　開口部
８１　　上端開口部（開口部）
８２　　側面開口部（開口部）
Ｋ　　　　　　人形首
【図１】
2004105498.tif 000003
【図２】
2004105498.tif 000004
【図３】
2004105498.tif 000005
【図４】
2004105498.tif 000006